(57)【要約】【課題】十分な伸縮性と耐久性を有する防草シートを提供すること。【解決手段】防草シート１は、編地２，３とそれらの編地の間の接結部４とを有する防草シートである。防草シート１の表面となる編地２は、遮光可能な色の原液着色糸からなり、遮光性を有する。防草シート１の裏面となる編地３は、熱融着糸からなり、熱硬化している。また防草シート１の裏面となる編地３は、平均孔径３ｍｍ未満の孔５が形成されている。【選択図】  図１
2017070265.tif 000002
【特許請求の範囲】
【請求項１】
複数の編地とそれらの編地の間の接結部とを有する防草シートであって、
この防草シートの表面となる編地は、遮光性を有しており、
前記防草シートの裏面となる編地は、熱硬化していることを特徴とする防草シート。
【請求項２】
前記防草シートの表面となる編地は、遮光可能な色の原液着色糸からなることを特徴とする請求項１に記載の防草シート。
【請求項３】
前記防草シートの裏面となる編地は、熱融着糸からなることを特徴とする請求項１又は２に記載の防草シート。
【請求項４】
前記防草シートの裏面となる編地は、平均孔径３ｍｍ未満の孔が形成されていることを特徴とする請求項３に記載の防草シート。
【請求項５】
前記接結部は、対向する前記編地の間を行き交う接結糸からなり、前記孔付近の接結糸に比べて、前記孔付近以外の接結糸が太くなっていることを特徴とする請求項４に記載の防草シート。
【発明の詳細な説明】
【技術分野】
【０００１】
本発明は、敷設することによって雑草等の成長を抑制することが可能な防草シートに関する。
【背景技術】
【０００２】
雑草等が生えることが望ましくない地面に敷設して、雑草等の成長を抑制する防草シートがある。
【０００３】
このような防草シートとして、特許文献１に示す不織布がある。特許文献１に示す不織布は、遮光性を有する黒色系ウェブと、該黒色系ウェブの上面に積層され、光反射性を有する白色系ウェブとによって構成され、ニードルパンチ加工処理及び熱加工処理を、積層した状態の黒色系ウェブ及び白色系ウェブに適用することにより、繊維同士が絡み合った複数の交絡部が形成されている。
【先行技術文献】
【特許文献】
【０００４】
【特許文献１】特開２００６−３１２７９０号公報
【発明の概要】
【発明が解決しようとする課題】
【０００５】
しかし、不織布は伸縮性に限界がある。そのため、凹凸のある地面に特許文献１に示す不織布を敷設した場合、地面と不織布との間に隙間が生じる場合がある。この隙間に風が吹き込むと、不織布が舞い上がる可能性がある。道路近くに不織布を敷設した場合、路面に不織布が落下すると事故につながるおそれがある。
【０００６】
また、不織布では、複数のウェブを積層して、ニードルパンチ加工処理又は熱処理をして交絡部で接着しても、ニードルパンチ加工処理又は熱処理のムラが生じ得る。そのため、交絡部において接着が弱い部分が発生する。この交絡部の接着の弱い部分から積層されているウェブが剥離し、その接着の弱い部分の周囲の交絡部に剥離が進展する可能性がある。この剥離の進展によって、不織布の耐久性は大幅に低下するおそれがある。
【０００７】
そこで、上記点より本発明は、十分な伸縮性と耐久性を有する防草シートを提供することを目的とする。
【課題を解決するための手段】
【０００８】
上記課題を解決するため、請求項１の防草シートは、複数の編地とそれらの編地の間の接結部とを有する防草シートであって、この防草シートの表面となる編地は、遮光性を有しており、前記防草シートの裏面となる編地は、熱硬化している。
【０００９】
請求項１の防草シートによれば、複数の編地からなるので十分な伸縮性を確保することができる。さらに、請求項１の防草シートは、複数の編地とそれらの編地の間の接結部とを有する構成となっている。このような構成によって、接着によらず、複数の編地が接結されていることとなる。したがって、接着の弱い部分が発生する可能性が極めて小さく、除草シートの耐久性を向上させることができる。
【００１０】
この防草シートの表面となる編地は遮光性を有しているので、除草シートを敷設した地面において、雑草の光合成を妨げることができる。また、防草シートの裏面となる編地は、熱硬化していることによって、先端が尖った雑草が防草シートを貫通することを防止できる。
【００１１】
請求項２の防草シートは、請求項１の防草シートにおいて、前記防草シートの表面となる編地は、遮光可能な色の原液着色糸からなる。
【００１２】
請求項２の防草シートによれば、請求項１の防草シートと同様に作用する上に、防草シートの表面となる編地の色落ち及び色褪せを防止することができる。
【００１３】
請求項３の防草シートは、請求項２の防草シートにおいて、前記防草シートの裏面となる編地は、熱融着糸からなる。
【００１４】
請求項３の防草シートによれば、請求項２の防草シートと同様に作用する上に、防草シートの裏面となる編地に熱処理を行うことで、熱融着糸が一旦溶けて硬化することになる。熱融着糸が一旦溶けて硬化した編地は、先端が尖った雑草がより貫通しにくくなる。また、熱融着糸が一旦溶けて硬化することで、編目のほつれの発生を防止することができる。
【００１５】
請求項４の防草シートは、請求項３の防草シートにおいて、前記防草シートの裏面となる編地は、平均孔径３ｍｍ未満の孔が形成されている。
【００１６】
請求項４の防草シートは、請求項３の防草シートにおいて、前記防草シートの裏面となる編地は、孔が形成されていることで、防草シートの透水性を確保することができる。また、その孔が平均孔径３ｍｍ未満の孔であることによって、透水性の確保と雑草の貫通防止を両立することができる。さらに防草シートの裏面となる編地は、熱融着糸が一旦溶けて硬化しているので、硬化後は孔径が一定となり、先端が尖った雑草の侵入によって、孔が押し広げられることを防止できる。加えて、孔の平均孔径及び単位面積当たりの個数を調節することで、除草シートを敷設した地面が乾燥しすぎないように透水性をコントロールすることができる。
【００１７】
請求項５の防草シートは、請求項４の防草シートにおいて、前記接結部は、対向する前記編地の間を行き交う接結糸からなり、前記孔付近以外の接結糸に比べて、前記孔付近の接結糸が細くなっている。
【００１８】
請求項５の防草シートによれば、請求項４の防草シートと同様に作用する上に、孔付近以外の接結糸に比べて、孔付近の接結糸が細くなっていることで、孔付近では、この細い接結糸が透水の妨げとなりにくい。したがって、効率良く透水させることができる。
【発明の効果】
【００１９】
請求項１乃至５のいずれかの防草シートは、十分な伸縮性を有する。そのため、凹凸のある地面に敷設しても、地面と防草シートとの間に隙間が生じることを抑制できる。また、請求項１乃至５のいずれかの防草シートは、十分な耐久性を有する。そのため、除草シートを敷設後、長期間に渡って防草効果を持続することができる。
【図面の簡単な説明】
【００２０】
【図１】本発明の第一実施形態の防草シートの断面概略図である。
【発明を実施するための形態】
【００２１】
本発明の一実施形態の防草シート１ついて、図１に基づいて説明する。
【００２２】
防草シート１は、編地２，３とそれらの編地２，３の間の接結部４とを有する。編地２，３は、例えば、ポリエステルやナイロン等の化学繊維糸からなる。編地２，３の編み組織は、平編み、ゴム編み若しくはパール編み、又はこれらの編み方の組み合わせである。特に、編地２，３の編み組織が平編みである場合は、編地２，３は薄くて軽い編地となる。
【００２３】
防草シート１の表面となる編地２は、遮光性を有している。防草シート１の表面となる編地２は、遮光可能な色の原液着色糸からなる。遮光可能な色は、例えば、黒色、濃茶色又は濃緑色等である。
【００２４】
防草シートの表面となる編地２は、透水性を有する。これにより、防草シート１の表面となる編地２上に水等が停留することを防止できる。
【００２５】
防草シート１の裏面となる編地３は、熱硬化している。防草シート１の裏面となる編地３は、熱融着糸からなる。防草シート１の製造方法は、防草シート１を編む工程の後に、防草シート１の裏面となる編地３を熱処理する工程を有する。この熱処理工程によって防草シート１の裏面となる編地３は、熱硬化することとなる。
【００２６】
防草シート１を編む工程では、既存の編機を使用して熱融着糸を編むことができるようになっている。また、編地３を熱処理する工程では、加熱温度を調節することによって、熱硬化後の編地３の硬度を調節できるようになっている。
【００２７】
防草シート１の裏面となる編地３は、平均孔径３ｍｍ未満の孔５が形成されている。孔５は、防草シート１の裏面となる編地３を編む工程で形成される。また、熱処理する工程で、この編地３の熱融着糸が一旦溶けて硬化しても、孔５が閉塞しないようになっている。
【００２８】
接結部４は、対向する編地２と編地３との間を行き交う接結糸からなる。防草シート１を編む工程において、編地２及び編地３を編むと同時に、接結糸が編地２と編地３を接結するように編むこととなる。
【００２９】
接結部４は、孔５付近の接結糸に比べて、孔５付近以外の接結糸が太くなっている。
【００３０】
上記実施形態では、防草シート１は、編地２，３とそれらの編地２，３の間の接結部４とを有する３層の構造の場合について説明したが、これに限定されることなく、防草シートは、複数の編地及び接結部の積層による４層以上の構造であってもよい。
【００３１】
上記実施形態では、接結部４は、孔５付近の接結糸に比べて、孔５付近以外の接結糸が太くなっている場合について説明したが、これに限定されることなく、孔付近の接結糸と孔付近以外の接結糸とが同じ太さで、その編地と編地との間を行き交う接結糸の単位面積あたりの密度が、孔付近に比べて孔付近以外が大きくなっていてもよい。
【００３２】
接結部の接結糸は、熱融着糸からなっていてもよい。防草シートの裏面となる編地を熱処理する工程において、接結部の接結糸にも熱が伝わり、編地とともに接結糸が硬化する。これにより、接結部の接結糸の編目のほつれの発生を抑制することができる。
【符号の説明】
【００３３】
１  防草シート
２  編地
３  編地
４  接結部
５  孔
【図１】
2017070265.tif 000003
【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
複数の編地とそれらの編地の間の接結部とを有する防草シートであって、
この防草シートの表面となる編地は、遮光性を有しており、
前記防草シートの裏面となる編地は、熱硬化しており、
前記防草シートの裏面となる編地は、熱融着糸からなり、
前記防草シートの裏面となる編地は、平均孔径３ｍｍ未満の孔が形成されており、
前記接結部は、対向する前記編地の間を行き交う接結糸からなり、前記孔付近の接結糸に比べて、前記孔付近以外の接結糸が太くなっていることを特徴とする防草シート。
【請求項２】
前記防草シートの表面となる編地は、遮光可能な色の原液着色糸からなることを特徴とする請求項１に記載の防草シート。
【手続補正２】
【補正対象書類名】明細書
【補正対象項目名】全文
【補正方法】変更
【補正の内容】
【発明の詳細な説明】
【技術分野】
【０００１】
本発明は、敷設することによって雑草等の成長を抑制することが可能な防草シートに関する。
【背景技術】
【０００２】
雑草等が生えることが望ましくない地面に敷設して、雑草等の成長を抑制する防草シートがある。
【０００３】
このような防草シートとして、特許文献１に示す不織布がある。特許文献１に示す不織布は、遮光性を有する黒色系ウェブと、該黒色系ウェブの上面に積層され、光反射性を有する白色系ウェブとによって構成され、ニードルパンチ加工処理及び熱加工処理を、積層した状態の黒色系ウェブ及び白色系ウェブに適用することにより、繊維同士が絡み合った複数の交絡部が形成されている。
【先行技術文献】
【特許文献】
【０００４】
【特許文献１】特開２００６−３１２７９０号公報
【発明の概要】
【発明が解決しようとする課題】
【０００５】
しかし、不織布は伸縮性に限界がある。そのため、凹凸のある地面に特許文献１に示す不織布を敷設した場合、地面と不織布との間に隙間が生じる場合がある。この隙間に風が吹き込むと、不織布が舞い上がる可能性がある。道路近くに不織布を敷設した場合、路面に不織布が落下すると事故につながるおそれがある。
【０００６】
また、不織布では、複数のウェブを積層して、ニードルパンチ加工処理又は熱処理をして交絡部で接着しても、ニードルパンチ加工処理又は熱処理のムラが生じ得る。そのため、交絡部において接着が弱い部分が発生する。この交絡部の接着の弱い部分から積層されているウェブが剥離し、その接着の弱い部分の周囲の交絡部に剥離が進展する可能性がある。この剥離の進展によって、不織布の耐久性は大幅に低下するおそれがある。
【０００７】
そこで、上記点より本発明は、十分な伸縮性と耐久性を有する防草シートを提供することを目的とする。
【課題を解決するための手段】
【０００８】
上記課題を解決するため、請求項１の防草シートは、複数の編地とそれらの編地の間の接結部とを有する防草シートであって、この防草シートの表面となる編地は、遮光性を有しており、前記防草シートの裏面となる編地は、熱硬化しており、前記防草シートの裏面となる編地は、熱融着糸からなり、前記防草シートの裏面となる編地は、平均孔径３ｍｍ未満の孔が形成されており、前記接結部は、対向する前記編地の間を行き交う接結糸からなり、前記孔付近の接結糸に比べて、前記孔付近以外の接結糸が太くなっている。
【０００９】
請求項１の防草シートによれば、複数の編地からなるので十分な伸縮性を確保することができる。さらに、請求項１の防草シートは、複数の編地とそれらの編地の間の接結部とを有する構成となっている。このような構成によって、接着によらず、複数の編地が接結されていることとなる。したがって、接着の弱い部分が発生する可能性が極めて小さく、除草シートの耐久性を向上させることができる。
【００１０】
この防草シートの表面となる編地は遮光性を有しているので、除草シートを敷設した地面において、雑草の光合成を妨げることができる。また、防草シートの裏面となる編地は、熱硬化していることによって、先端が尖った雑草が防草シートを貫通することを防止できる。
【００１１】
請求項１の防草シートによれば、防草シートの裏面となる編地に熱処理を行うことで、熱融着糸が一旦溶けて硬化することになる。熱融着糸が一旦溶けて硬化した編地は、先端が尖った雑草がより貫通しにくくなる。また、熱融着糸が一旦溶けて硬化することで、編目のほつれの発生を防止することができる。
【００１２】
請求項１の防草シートによれば、前記防草シートの裏面となる編地は、孔が形成されていることで、防草シートの透水性を確保することができる。また、その孔が平均孔径３ｍｍ未満の孔であることによって、透水性の確保と雑草の貫通防止を両立することができる。さらに防草シートの裏面となる編地は、熱融着糸が一旦溶けて硬化しているので、硬化後は孔径が一定となり、先端が尖った雑草の侵入によって、孔が押し広げられることを防止できる。加えて、孔の平均孔径及び単位面積当たりの個数を調節することで、除草シートを敷設した地面が乾燥しすぎないように透水性をコントロールすることができる。
【００１３】
請求項１の防草シートによれば、孔付近以外の接結糸に比べて、孔付近の接結糸が細くなっていることで、孔付近では、この細い接結糸が透水の妨げとなりにくい。したがって、効率良く透水させることができる。
【００１４】
請求項２の防草シートは、請求項１の防草シートにおいて、前記防草シートの表面となる編地は、遮光可能な色の原液着色糸からなる。
【００１５】
請求項２の防草シートによれば、請求項１の防草シートと同様に作用する上に、防草シートの表面となる編地の色落ち及び色褪せを防止することができる。
【発明の効果】
【００１６】
請求項１又は２の防草シートは、十分な伸縮性を有する。そのため、凹凸のある地面に敷設しても、地面と防草シートとの間に隙間が生じることを抑制できる。また、請求項１又は２の防草シートは、十分な耐久性を有する。そのため、除草シートを敷設後、長期間に渡って防草効果を持続することができる。
【図面の簡単な説明】
【００１７】
【図１】本発明の第一実施形態の防草シートの断面概略図である。
【発明を実施するための形態】
【００１８】
本発明の一実施形態の防草シート１ついて、図１に基づいて説明する。
【００１９】
防草シート１は、編地２，３とそれらの編地２，３の間の接結部４とを有する。編地２，３は、例えば、ポリエステルやナイロン等の化学繊維糸からなる。編地２，３の編み組織は、平編み、ゴム編み若しくはパール編み、又はこれらの編み方の組み合わせである。特に、編地２，３の編み組織が平編みである場合は、編地２，３は薄くて軽い編地となる。
【００２０】
防草シート１の表面となる編地２は、遮光性を有している。防草シート１の表面となる編地２は、遮光可能な色の原液着色糸からなる。遮光可能な色は、例えば、黒色、濃茶色又は濃緑色等である。
【００２１】
防草シートの表面となる編地２は、透水性を有する。これにより、防草シート１の表面となる編地２上に水等が停留することを防止できる。
【００２２】
防草シート１の裏面となる編地３は、熱硬化している。防草シート１の裏面となる編地３は、熱融着糸からなる。防草シート１の製造方法は、防草シート１を編む工程の後に、防草シート１の裏面となる編地３を熱処理する工程を有する。この熱処理工程によって防草シート１の裏面となる編地３は、熱硬化することとなる。
【００２３】
防草シート１を編む工程では、既存の編機を使用して熱融着糸を編むことができるようになっている。また、編地３を熱処理する工程では、加熱温度を調節することによって、熱硬化後の編地３の硬度を調節できるようになっている。
【００２４】
防草シート１の裏面となる編地３は、平均孔径３ｍｍ未満の孔５が形成されている。孔５は、防草シート１の裏面となる編地３を編む工程で形成される。また、熱処理する工程で、この編地３の熱融着糸が一旦溶けて硬化しても、孔５が閉塞しないようになっている。
【００２５】
接結部４は、対向する編地２と編地３との間を行き交う接結糸からなる。防草シート１を編む工程において、編地２及び編地３を編むと同時に、接結糸が編地２と編地３を接結するように編むこととなる。
【００２６】
接結部４は、孔５付近の接結糸に比べて、孔５付近以外の接結糸が太くなっている。
【００２７】
上記実施形態では、防草シート１は、編地２，３とそれらの編地２，３の間の接結部４とを有する３層の構造の場合について説明したが、これに限定されることなく、防草シートは、複数の編地及び接結部の積層による４層以上の構造であってもよい。
【００２８】
上記実施形態では、接結部４は、孔５付近の接結糸に比べて、孔５付近以外の接結糸が太くなっている場合について説明したが、これに限定されることなく、孔付近の接結糸と孔付近以外の接結糸とが同じ太さで、その編地と編地との間を行き交う接結糸の単位面積あたりの密度が、孔付近に比べて孔付近以外が大きくなっていてもよい。
【００２９】
接結部の接結糸は、熱融着糸からなっていてもよい。防草シートの裏面となる編地を熱処理する工程において、接結部の接結糸にも熱が伝わり、編地とともに接結糸が硬化する。これにより、接結部の接結糸の編目のほつれの発生を抑制することができる。
【符号の説明】
【００３０】
１  防草シート
２  編地
３  編地
４  接結部
５  孔